(57)【要約】【課題】導電バーの形状を単純化することができ、簡単に取り付け時の導電バー接続作業や電圧切り替え作業ができる回路遮断器を提供する。【解決手段】電圧切替装置８ａは、一方の電圧極の電源側端子５ａと中性極の電源側端子５ｂに接離可能な２枚の端子板１０を略く字状の連結板１１で連結して設け、連結板１１に回路遮断器のハウジングの外部から操作可能な回転式のスイッチ９を固着して端子板１０の接続先を選択可能にし、一端を連結板１１に固定し他端をハウジング内に固定した圧接バネ１２によって端子板１０を電源側端子５ａ又は５ｂに圧接した状態で保持可能にする。【選択図】　　　　図２
2004087241.tif 000002
【特許請求の範囲】
【請求項１】
ハウジングに３つの左右方向の溝を切り欠き形成し、該溝内に単相３線式電路の導電バーを挟持接続するプラグイン形式の電源側端子を備えた分岐回路用の回路遮断器の電圧を切り替えるための電圧切替装置において、一方の電圧極の電源側端子と中性極の電源側端子に接離可能な２枚の端子板を略く字状の連結板で連結して設け、該連結板に前記ハウジングの外部から操作可能な回転式のスイッチを固着して前記端子板の接続先を選択可能にし、一端を前記連結板に固定し他端を前記ハウジング内に固定した圧接バネによって前記端子板を前記電源側端子に圧接した状態で保持可能にしたことを特徴とする回路遮断器の電圧切替装置。
【発明の詳細な説明】
【０００１】
【発明の属する技術分野】
本発明は、単相３線式分電盤の分岐回路に用いられる回路遮断器の電圧を切り替えるための構造に関する。
【０００２】
【従来の技術】
従来、図４及び図５に示すように単相３線式分電盤３６の分岐回路に用いられる回路遮断器２１はハウジング２２の背面２２ｃに２つの電源側端子２５ａ，２５ｂが設けられ、前面２２ｂに２つの負荷側端子２６ａ，２６ｂが設けられ、上面２２ｄに電路を開閉操作する操作ハンドル２７が設けられている。回路遮断器２１は単相３線式分電盤３６の主幹ブレーカ３７の２次側に接続された３本の主幹導電バー２４ａ，２４ｂ，２４ｃを挟んで両側に複数並設され、主幹導電バー２４ａ，２４ｂ，２４ｃから短手方向に延びる分岐導電バー３８ａ，３８ｂを電源側端子２５ａ，２５ｂに挿入し螺着して接続されている。主幹導電バー２４ａ，２４ｂ，２４ｃから分岐した２本１組の分岐導電バーの一方３８ａは電圧極の主幹導電バー２４ａ若しくは２４ｃと一体に形成され、分岐導電バーの他方３８ｂは取り外し可能で、分岐導電バーの一方３８ａが形成されていない電圧極の主幹導電バー２４ｃ，２４ａ又は中性極の主幹導電バー２４ｂのどちらかに選択的に螺着固定され、回路遮断器２１の電圧を１００Ｖから２００Ｖ又は２００Ｖから１００Ｖに切り替えるにはこの他方の分岐導電バー３８ｂを一旦取り外して接続する主幹導電バーを切り替えることにより行っていた。
【０００３】
【発明が解決しようとする課題】
しかしながら、従来の方法では導電バーの形状が複雑になるし、分岐導電バーは主幹導電バー及び回路遮断器とネジで接続されているため、ネジを落として紛失する虞があり、取り付け時の接続作業及び電圧切り替え作業が面倒であり、更にネジの増し締めを定期的に行わなければならないという欠点があった。
【０００４】
そこで上記問題点に鑑み、本発明の目的は、導電バーの形状を単純化することができ、簡単に取り付け時の導電バー接続作業や電圧切り替え作業ができる回路遮断器を提供することである。
【０００５】
【課題を解決するための手段】
上記目的を達成するために、ハウジングに３つの左右方向の溝を切り欠き形成し、溝内に単相３線式電路の導電バーを挟持接続するプラグイン形式の電源側端子を備えた分岐回路用の回路遮断器の電圧を切り替えるための電圧切替装置において、一方の電圧極の電源側端子と中性極の電源側端子に接離可能な２枚の端子板を略く字状の連結板で連結して設け、連結板にハウジングの外部から操作可能な回転式のスイッチを固着して端子板の接続先を選択可能にし、一端を連結板に固定し他端をハウジング内に固定した圧接バネによって端子板を電源側端子に圧接した状態で保持可能にしたことを特徴とする。
【０００６】
【発明の実施の形態】
一方の電圧極の電源側端子と中性極の電源側端子に接離可能な２枚の端子板を略く字状の連結板で連結して設け、連結板にハウジングの外部から操作可能な回転式のスイッチを固着して端子板の接続先を選択可能にし、一端を連結板に固定し他端をハウジング内に固定した圧接バネによって端子板を電源側端子に圧接した状態で保持可能にする。
【０００７】
【実施例】
本発明に係る回路遮断器の電圧切替装置の一実施例を図１〜図３の添付図面に基づいて説明する。
【０００８】
単相３線式分電盤の分岐回路に用いられる回路遮断器１はハウジング２の底面２ａの前後に３つの左右方向の溝３を切り欠き形成し、溝内に単相３線式電路の導電バー４ａ，４ｂ，４ｃを挟持接続するプラグイン形式の電源側端子５ａ，５ｂ，５ｃが設けられ、前面２ｂ及び背面２ｃの双方に２つの負荷側端子６ａ，６ｂ、６ｃ，６ｄが設けられ、上面２ｄの前後に電路を開閉操作する２つの操作ハンドル７ａ，７ｂが設けられている。前方の操作ハンドル７ａは前面２ｂの負荷側端子６ａ，６ｂの電路を開閉操作可能とし、後方の操作ハンドル７ｂは背面２ｃの負荷側端子６ｃ，６ｄの電路を開閉操作可能としている。電源側端子５ａ，５ｂ，５ｃは中央を中性極とし、前側と後側を電圧極としている。
【０００９】
また、ハウジング２の左右側面２ｅ，２ｆには負荷側端子６ａ，６ｂと負荷側端子６ｃ，６ｄの各電路に流れる電圧を切り替える電圧切替装置８ａ，８ｂのスイッチ９が夫々設けられている。図２においては片側の電圧切替装置しか示していないが、電圧切替装置８ａ，８ｂは略コ字状の電源側端子５ａ，５ｂ，５ｃの左右方向（図２では奥行き方向）を２分して一方側と他方側に夫々設けられ、電圧極の電源側端子５ａ，５ｃのうち１つと中性極の電源側端子５ｂの上面に接離する２枚の端子板１０と、これらの端子板１０を連結する連結板１１、端子板１０を電源側端子５ａ，５ｂ，５ｃに圧接する圧接バネ１２と、端子板１０の接続先を電圧極の電源側端子５ａ，５ｃ又は中性極の電源側端子５ｂに選択操作するためにハウジング２の左右側面２ｅ，２ｆに露出する回転式のスイッチ９とで成っている。
【００１０】
端子板１０は矩形状に形成され、略く字状に形成された連結板１１によって連結され一体に形成されている。スイッチ９は連結板１１の屈曲部の内側に固着され、電圧極の電源側端子５ａ又は５ｃと中性極の電源側端子５ｂとの中間位置でハウジング２の側面２ｅ，２ｆに形成された係合孔１３に嵌め込まれて回転可能に取り付けられている。圧接バネ１２は両端が直線に延びたコイル状のもので、一端を連結板１１の屈曲部に固定し、他端をスイッチ９より上の垂直方向に延びる中心線上のハウジング２の内部に固定されている。この圧接バネ１２によって端子板１０がどちらの電源側端子５ａ，５ｂに接触した場合でも端子板１０を電源側端子５ａ，５ｂに圧接するため安定した接触が確保できるようになっている。
【００１１】
こうしてハウジング２に組み込まれた電圧切替装置８ａ，８ｂは、連結板１１と、端子板１０が接触しない電圧極の電源側端子５ａ又は５ｃの双方に電線（図示せず）等を接続して電路に接続される。ハウジング２の右側面２ｆに配置された電圧切替装置８ａは連結板１１と電源側端子５ｃとに電線を接続してハウジング２の背面２ｃの負荷側端子６ｃ，６ｄの電路に接続され、ハウジング２の左側面２ｅに配置された電圧切替装置８ｂは連結板１１と電源側端子５ａとに電線を接続してハウジング２の前面２ｂの負荷側端子６ａ，６ｂの電路に接続されている。尚、これと逆にして電路に接続しても何ら問題ない。また、電線をどちらかの端子板に接続しても良い。
【００１２】
図３（ａ）のように電圧切替装置８ａのスイッチ９を操作して端子板１０が中性極の電源側端子５ｂに接続された場合は１００Ｖの電圧が通電され、図３（ｂ）のように端子板１０が電圧極の電源側端子５ａに接続された場合は２００Ｖの電圧が通電される。尚、電圧切替装置８ｂの場合はスイッチ９を操作して端子板１０が中性極の電源側端子５ｂに接続された場合に１００Ｖの電圧が通電され、端子板１０が電圧極の電源側端子５ｃに接続された場合に２００Ｖの電圧が通電される。スイッチ９はマイナスドライバー等で回転させなければならない形状であるため、回路遮断器１を分電盤に設置した状態ではスイッチ９の操作は困難で、電圧の切替操作は回路遮断器１を取り外した状態で行うようになっている。このため、通電中に誤って電圧が切り替わることがなく、また、電圧変動や極間短絡による負荷機器の破壊や故障が発生する虞がない。
【００１３】
尚、本実施例において回路遮断器は２個分を一体に形成したものを用いたため、電源側端子がハウジングの底面に設けられ、電源側端子に各電路用の２個の電圧切替装置を設けたが、ハウジングの前面又は背面にプラグイン形式の電源側端子を備えた回路遮断器にも利用することができ、この場合は電源側端子に１個の電圧切替装置を設ければ良い。
【００１４】
【発明の効果】
以上説明したようにハウジングに３つの左右方向の溝を切り欠き形成し、溝内に単相３線式電路の導電バーを挟持接続するプラグイン形式の電源側端子を備えた分岐回路用の回路遮断器において、一方の電圧極の電源側端子と中性極の電源側端子に接離可能な２枚の端子板を略く字状の連結板で連結して設け、連結板にハウジングの外部から操作可能な回転式のスイッチを固着して端子板の接続先を選択可能にし、一端を連結板に固定し他端をハウジング内に固定した圧接バネによって端子板を電源側端子に圧接した状態で保持可能にしたことにより、電源側端子がプラグイン形式なので導電バーの形状を単純化することができ、而も取り付け時の導電バー接続作業が簡単にでき、更に、電圧切り替えは電圧切替装置のスイッチを回転させるだけで簡単にできるという効果がある。
【図面の簡単な説明】
【図１】本発明に係る回路遮断器の外観斜視図である。
【図２】本発明に係る回路遮断器の電圧切替装置を示す正面図である。
【図３】本発明に係る回路遮断器の電圧切替装置の電圧切替構造を示し、（ａ）は供給電圧を１００Ｖにする場合、（ｂ）は供給電圧を２００Ｖにする場合である。
【図４】従来の回路遮断器を組み込んだ単相３線式分電盤を示す正面図である。
【図５】従来の回路遮断器と導電バーの電圧切り替え構造を示す斜視図である。
【符号の説明】
１…回路遮断器
２…ハウジング
３…溝
４ａ，４ｂ，４ｃ…導電バー
５ａ，５ｃ…電圧極の電源側端子
５ｂ…中性極の電源側端子
６ａ〜６ｄ…負荷側端子
７ａ，７ｂ…操作ハンドル
８ａ，８ｂ…電圧切替装置
９…スイッチ
１０…端子板
１１…連結板
１２…圧接バネ
１３…係合孔
【図１】
2004087241.tif 000003
【図２】
2004087241.tif 000004
【図３】
2004087241.tif 000005
【図４】
2004087241.tif 000006
【図５】
2004087241.tif 000007